(57)【要約】【課題】現在視聴中の映像コンテンツに関連する映像コンテンツをリアルタイムに、かつ複数の映像サービスの中から提示することができるようにする。【解決手段】映像コンテンツと、そのコンテンツ情報を含むＳＩ情報又は再生制御情報とを有した映像ストリームを送出するＩＰ送出サーバ装置２００、ＶＯＤサーバ装置３００、ＤＬＮＡサーバ装置４００、送出装置５００から送出される映像ストリームを受信する受信装置１００を備え、前記受信装置１００は、前記各装置から受信された映像ストリームのＳＩ情報、再生制御情報より、現在視聴中のコンテンツ情報を各々取得し、該コンテンツ情報をキーワードとして、前記各装置内の該当する関連映像コンテンツの有無を検索し、有る場合は該関連映像コンテンツをＧＵＩ部１０５の画面１１０にサブウィンドウ１１１として表示させる。【選択図】図１
2010278512.tif 000002
【特許請求の範囲】
【請求項１】
映像コンテンツと映像コンテンツのコンテンツ情報を含むＳＩ情報とを有した映像ストリームをネットワークを介して送出するＩＰ送出サーバ装置と、映像コンテンツと映像コンテンツのコンテンツ情報を含む再生制御情報とを有した映像ストリームをネットワークを介して送出するＶＯＤサーバ装置と、デジタル放送サービスおよび／又はＩＰ放送サービスの映像コンテンツを録画した映像コンテンツと映像コンテンツのコンテンツ情報を含むＳＩ情報とを有した映像ストリームをネットワークを介して送出するＤＬＮＡサーバ装置と、映像コンテンツと映像コンテンツのコンテンツ情報を含むＳＩ情報とを有した映像ストリームを放送波により送出する送出装置、のうち少なくとも２つの装置から送出される映像ストリームを受信する受信装置を備え、
前記受信装置は、
前記ＩＰ送出装置、送出装置、ＤＬＮＡサーバ装置から受信された映像ストリームのＳＩ情報および前記ＶＯＤサーバ装置から受信された再生制御情報より、現在視聴中のコンテンツ情報を各々取得してコンテンツ情報データベースに登録し、前記ＳＩ情報から現放送時間以降の番組表情報を取得してＳＩ情報データベースに登録するコンテンツ情報収集手段と、
ユーザからの映像コンテンツの再生開始、停止、コンテンツ変更等の指示を受け付けて再生制御部およびコンテンツ解析手段へ通知する機能と、現在視聴中の映像コンテンツを再生、表示する機能と、前記表示している画面と同一画面に、検索された関連映像コンテンツ情報をサブウィンドウとして表示する機能と、前記サブウィンドウ内の関連映像コンテンツを再生する機能を有したＧＵＩ部と、
前記コンテンツ情報データベース内の現在視聴中の映像コンテンツのコンテンツ情報を取得し、前記取得したコンテンツ情報をキーワードとして、前記ＳＩ情報データベース内の該当する関連映像コンテンツの有無を検索し、有る場合は該情報を前記ＧＵＩ部に通知し、前記取得したコンテンツ情報をキーワードとして、前記ＶＯＤサーバ装置および／又はＤＬＮＡサーバ装置内の該当する関連映像コンテンツの有無を検索する指令を発し、該当する映像コンテンツが有る場合は該情報を前記ＧＵＩ部に通知し、前記ＧＵＩ部からユーザ指定の映像コンテンツの再生指示があった場合、該再生指示を再生制御部へ通知するコンテンツ解析手段と、
前記ＧＵＩ部およびコンテンツ解析手段から通知された指示および検索指令を受けて、映像コンテンツの変更、再生および検索の制御を行う再生制御部と、
を備えたことを特徴とする映像サービスにおけるコンテンツリコメンドシステム。
【請求項２】
映像コンテンツと映像コンテンツのコンテンツ情報を含むＳＩ情報とを有した映像ストリームをネットワークを介して送出するＩＰ送出サーバ装置と、映像コンテンツと映像コンテンツのコンテンツ情報を含む再生制御情報とを有した映像ストリームをネットワークを介して送出するＶＯＤサーバ装置と、デジタル放送サービスおよび／又はＩＰ放送サービスの映像コンテンツを録画した映像コンテンツと映像コンテンツのコンテンツ情報を含むＳＩ情報とを有した映像ストリームをネットワークを介して送出するＤＬＮＡサーバ装置と、映像コンテンツと映像コンテンツのコンテンツ情報を含むＳＩ情報とを有した映像ストリームを放送波により送出する送出装置、のうち少なくとも２つの装置から送出される映像ストリームを受信する受信装置を備え、
前記受信装置は、コンテンツ情報収集手段と、コンテンツ解析手段と、ユーザからの映像コンテンツの再生開始、停止、コンテンツ変更等の指示を受け付けて再生制御部およびコンテンツ解析手段へ通知する機能と、現在視聴中の映像コンテンツを再生、表示する機能と、前記表示している画面と同一画面に、検索された関連映像コンテンツ情報をサブウィンドウとして表示する機能と、前記サブウィンドウ内の関連映像コンテンツを再生する機能を有したＧＵＩ部と、前記ＧＵＩ部およびコンテンツ解析手段から通知された指示および検索指令を受けて、映像コンテンツの変更、再生および検索の制御を行う再生制御部とを備えたシステムにおいて、
前記受信装置のコンテンツ情報収集手段が、前記ＩＰ送出装置、送出装置、ＤＬＮＡサーバ装置から受信された映像ストリームのＳＩ情報および前記ＶＯＤサーバ装置から受信された再生制御情報より、現在視聴中のコンテンツ情報を各々取得してコンテンツ情報データベースに登録するステップと、
前記ＳＩ情報から現放送時間以降の番組表情報を取得してＳＩ情報データベースに登録するステップと、
前記受信装置のコンテンツ解析手段が、前記コンテンツ情報データベース内の現在視聴中の映像コンテンツのコンテンツ情報を取得するステップと、
前記取得したコンテンツ情報をキーワードとして、前記ＳＩ情報データベース内の該当する関連映像コンテンツの有無を検索し、有る場合は該情報を前記ＧＵＩ部に通知するステップと、
前記取得したコンテンツ情報をキーワードとして、前記ＶＯＤサーバ装置および／又はＤＬＮＡサーバ装置内の該当する関連映像コンテンツの有無を検索する指令を発し、該当する映像コンテンツが有る場合は該情報を前記ＧＵＩ部に通知するステップと、
前記ＧＵＩ部からユーザ指定の映像コンテンツの再生指示があった場合、該再生指示を再生制御部へ通知するステップとを備えたことを特徴とする映像サービスにおけるコンテンツリコメンド方法。
【請求項３】
コンピュータを請求項１に記載の各手段として機能させる映像サービスにおけるコンテンツリコメンドプログラム。
【請求項４】
請求項３に記載の映像サービスにおけるコンテンツリコメンドプログラムを記録したコンピュータ読み取り可能な記録媒体。
【発明の詳細な説明】
【技術分野】
【０００１】
本発明は、デジタル放送サービス、ＩＰ放送サービス、ＶＯＤ（Ｖｉｄｅｏ  Ｏｎ  Ｄｅｍａｎｄ）サービス、及び、ユーザ自身で保有する録画映像コンテンツの視聴において、視聴中の映像コンテンツに関連した映像コンテンツをユーザに提示し、ユーザがより多くの視聴したい映像コンテンツに出会えることを可能とする技術に関するものである。
【背景技術】
【０００２】
映像コンテンツに関連する関連情報提供方法としては、例えば特許文献１に記載の方法があるが、放送コンテンツに別途識別子を埋め込む必要があり、開発コストが大きい送出側設備の改修が必要となり、また、既存の方式未対応の受信側装置への弊害も発生する。
【先行技術文献】
【特許文献】
【０００３】
【特許文献１】特開２００７−１１６７１８号公報、「放送情報に関連した情報の取得方法及びシステム並びに装置」
【非特許文献】
【０００４】
【非特許文献１】「ＢＳ／広帯域ＣＳデジタル放送運用規定」、ＡＲＩＢ  ＴＲ−Ｂ１５  ４．３版（第二分冊）、平成２０年３月１９日、第四編  １３  ＥＩＴ送出運用、ｐｐ．４−６２〜ｐｐ．４−８３
【非特許文献２】ＩＰＴＶフォーラム、「ＩＰＴＶ規定」、ＶＯＤ仕様  第１．０版、２００８年１１月２８日、第５章  再生制御メタファイル、ｐｐ．７０〜ｐｐ．７１
【非特許文献３】ＩＰＴＶフォーラム、「ＩＰＴＶ規定」、ＣＤＮスコープ  サービスアプローチ仕様  第１．１版、２００８年１１月２８日、３．３．３．２  ＥＣＧ、ｐｐ．６１〜ｐｐ．６６
【非特許文献４】“ＤＬＮＡ  Ｕｓｅ  Ｃａｓｅ  Ｓｃｅｎａｒｉｏｓ  Ｗｈｉｔｅ  Ｐａｐｅｒ”、Ｄｉｇｉｔａｌ  Ｌｉｖｉｎｇ  Ｎｅｔｗｏｒｋ  Ａｌｌｉａｎｃｅ  Ｊｕｎｅ  ２００４、  Ｕｓｅ  Ｃａｓｅｓ  ａｎｄ  Ｕｓａｇｅ  Ｓｃｅｎａｒｉｏｓ  ｆｏｒｍ  ｗｈｉｃｈ  Ｔｅｃｈｎｉｃａｌ  Ｇｕｉｄｅｌｉｎｅｓ  ｗｅｒｅ  ｄｅｒｉｖｅｄ、ｐｐ．８〜ｐｐ．１１
【発明の概要】
【発明が解決しようとする課題】
【０００５】
デジタル放送サービス、ＩＰ放送サービス、ユーザが保有する録画映像コンテンツでは、視聴中コンテンツに関連する映像コンテンツを提示するシステムが存在せず、ユーザは視聴後に引続き視聴したい映像コンテンツを意図して探す必要がある。また、ＶＯＤサービスでは存在するが、提示する映像コンテンツが同ＶＯＤサービス内の映像コンテンツに限定されている。
【０００６】
本発明は上記課題を解決するものであり、その目的は、現在視聴中の映像コンテンツに関連する映像コンテンツをリアルタイムに、かつ複数の映像サービスの中から提示することができる映像サービスにおけるコンテンツリコメンドシステム、方法、プログラムおよび記録媒体を提供することにある。
【課題を解決するための手段】
【０００７】
上記課題を解決するために、映像サービスであるデジタル放送サービスやＩＰ放送サービス、ＶＯＤサービス、また、ユーザ自身で保有する映像コンテンツ視聴において、視聴中の映像コンテンツと同一画面上にサブウィンドウで同映像コンテンツに関係するデジタル放送サービス、ＩＰ放送サービス、ＶＯＤサービス、また、ユーザが保有する映像コンテンツの情報をリアルタイムに提供するように構成した。また、前記サブウィンドウ内から提供される映像コンテンツの再生指示を行うことで、ユーザがより多くの映像コンテンツを視聴することができるように構成した。
【０００８】
本発明の請求項１に記載の映像サービスにおけるコンテンツリコメンドシステムは、映像コンテンツと映像コンテンツのコンテンツ情報を含むＳＩ情報とを有した映像ストリームをネットワークを介して送出するＩＰ送出サーバ装置と、映像コンテンツと映像コンテンツのコンテンツ情報を含む再生制御情報とを有した映像ストリームをネットワークを介して送出するＶＯＤサーバ装置と、デジタル放送サービスおよび／又はＩＰ放送サービスの映像コンテンツを録画した映像コンテンツと映像コンテンツのコンテンツ情報を含むＳＩ情報とを有した映像ストリームをネットワークを介して送出するＤＬＮＡサーバ装置と、映像コンテンツと映像コンテンツのコンテンツ情報を含むＳＩ情報とを有した映像ストリームを放送波により送出する送出装置、のうち少なくとも２つの装置から送出される映像ストリームを受信する受信装置を備え、
前記受信装置は、前記ＩＰ送出装置、送出装置、ＤＬＮＡサーバ装置から受信された映像ストリームのＳＩ情報および前記ＶＯＤサーバ装置から受信された再生制御情報より、現在視聴中のコンテンツ情報を各々取得してコンテンツ情報データベースに登録し、前記ＳＩ情報から現放送時間以降の番組表情報を取得してＳＩ情報データベースに登録するコンテンツ情報収集手段と、
ユーザからの映像コンテンツの再生開始、停止、コンテンツ変更等の指示を受け付けて再生制御部およびコンテンツ解析手段へ通知する機能と、現在視聴中の映像コンテンツを再生、表示する機能と、前記表示している画面と同一画面に、検索された関連映像コンテンツ情報をサブウィンドウとして表示する機能と、前記サブウィンドウ内の関連映像コンテンツを再生する機能を有したＧＵＩ部と、
前記コンテンツ情報データベース内の現在視聴中の映像コンテンツのコンテンツ情報を取得し、前記取得したコンテンツ情報をキーワードとして、前記ＳＩ情報データベース内の該当する関連映像コンテンツの有無を検索し、有る場合は該情報を前記ＧＵＩ部に通知し、前記取得したコンテンツ情報をキーワードとして、前記ＶＯＤサーバ装置および／又はＤＬＮＡサーバ装置内の該当する関連映像コンテンツの有無を検索する指令を発し、該当する映像コンテンツが有る場合は該情報を前記ＧＵＩ部に通知し、前記ＧＵＩ部からユーザ指定の映像コンテンツの再生指示があった場合、該再生指示を再生制御部へ通知するコンテンツ解析手段と、
前記ＧＵＩ部およびコンテンツ解析手段から通知された指示および検索指令を受けて、映像コンテンツの変更、再生および検索の制御を行う再生制御部と、を備えたことを特徴としている。
【発明の効果】
【０００９】
本発明によれば、デジタル放送サービス、ＩＰ放送サービス、ＶＯＤサービス、ユーザが保有する録画映像コンテンツにおいて、映像コンテンツを視聴する際に、同映像コンテンツに関連する映像コンテンツをリアルタイムに、かつ、全映像サービスの中から提示することが可能となる。また、提示された映像コンテンツをすぐに視聴することが可能となる。これにより、ユーザはより多く視聴したい映像コンテンツに出会うことができ、視聴することが可能となる。
【図面の簡単な説明】
【００１０】
【図１】本発明の映像サービスにおけるコンテンツリコメンドシステムの実施形態例を示す構成図。
【図２】図１のコンテンツ情報収集部での処理を示すフローチャート。
【図３】図１のコンテンツ解析部での処理を示すフローチャート。
【図４】本発明の実施例１のシステム構成図。
【図５】本発明の実施例２のシステム構成図。
【発明を実施するための形態】
【００１１】
以下、図面を参照しながら本発明の実施の形態を説明するが、本発明は下記の実施形態例に限定されるものではない。図１に本実施形態例の映像サービスにおけるコンテンツリコメンドシステムの構成を示す。
【００１２】
図１において、１００は、ＩＰ送受信部１０１、放送波受信部１０２、デスクランブラ部１０３、再生制御部１０４、ＧＵＩ（Ｇｒａｐｈｉｃａｌ  Ｕｓｅｒ  Ｉｎｔｅｒｆａｃｅ）部１０５、コンテンツ情報収集手段としてのコンテンツ情報収集部１０６、コンテンツ解析手段としてのコンテンツ解析部１０７、ＳＩ（Ｓｅｒｖｉｃｅ  Ｉｎｆｏｒｍａｔｉｏｎ）情報ＤＢ（データベース）１０８、コンテンツ情報ＤＢ（データベース）１０９を備えた受信装置である。
【００１３】
１１０はＧＵＩ部１０５の表示画面を示し、１１１は画面１１０中に表示されるサブウィンドウを示している。尚、受信装置１００内の各部の、後述する機能は、例えばコンピュータによって達成される。
【００１４】
２００はＩＰ送出サーバ装置であり、２０１はＳＩ情報、２０２はコンテンツＡを含む映像コンテンツＤＢ（データベース)を示している。
【００１５】
３００はＶＯＤサーバ装置であり、３０１は再生制御情報、３０２はコンテンツＢを含む映像コンテンツＤＢ（データベース）を示している。
【００１６】
４００はＤＬＮＡ（Ｄｉｇｉｔａｌ  Ｌｉｖｉｎｇ  Ｎｅｔｗｏｒｋ  Ａｌｌｉａｎｃｅ)サーバ装置であり、４０１はコンテンツＣを含む映像コンテンツＤＢ（データベース)を示している。
【００１７】
５００は送出装置であり、５０１はＳＩ情報、５０２はコンテンツＤを含む映像コンテンツＤＢ（データベース）を示している。
【００１８】
６００はＷＡＮ（Ｗｉｄｅ  Ａｒｅａ  Ｎｅｔｗｏｒｋ）、７００はＨＧＷ（Ｈｏｍｅ  Ｇａｔｅ  Ｗａｙ）、８００はＬＡＮ（Ｌｏｃａｌ  Ａｒｅａ  Ｎｅｔｗｏｒｋ）、９００は放送波を各々示している。
【００１９】
前記ＩＰ送出サーバ装置２００、ＶＯＤサーバ装置３００、ＨＧＷ７００はＷＡＮ６００に接続され、また、ＨＧＷ７００はＤＬＮＡサーバ装置４００、受信装置１００とＬＡＮ８００に接続され、送出装置５００は放送波９００により、受信装置１００に映像ストリームを伝達するシステム構成となっている。
【００２０】
ＩＰ送出サーバ装置２００は、映像コンテンツＤＢ２０２中の映像コンテンツを再生し、ＷＡＮ６００へ映像データストリームを送出する。
【００２１】
送出装置５００は、映像コンテンツＤＢ５０２中の映像コンテンツを再生し、放送波９００により映像データストリームを送出する。
【００２２】
この際、送出する映像コンテンツのタイトル、番組概要、出演者、スタッフ、ジャンルコードのコンテンツ情報であるＳＩ情報２０１またはＳＩ情報５０１を付与する。前記ＳＩ情報は現在送出している映像コンテンツのコンテンツ情報だけでなく、送出時間以降の８日間分の映像コンテンツのコンテンツ情報と送出するタイムテーブルが記述されている（非特許文献１参照）。これにより前記サーバ装置２００、５００からの映像ストリームを受信する受信装置１００では、受信できる・している映像コンテンツのコンテンツ情報、及び、８日間分のタイムテーブルを知ることができる。
【００２３】
ＶＯＤサーバ装置３００は、受信装置１００からの再生制御メッセージにより、指定された映像コンテンツを映像ストリームとして送出する。この際、ＶＯＤサーバ装置３００からの再生開始時に、タイトル、コンテンツ概要、出演者、スタッフ、ジャンルコード等のコンテンツ情報を含む再生制御情報３０１（非特許文献２参照）を受信装置１００に送信し、受信装置１００では、受信している映像コンテンツのコンテンツ情報を知ることができる。また、ＶＯＤサーバ装置３００は受信装置１００からの検索制御メッセージにより、映像コンテンツＤＢ３０２中の検索条件に一致する映像コンテンツのリストを返信する（非特許文献３参照）。これにより、受信装置１００では、ＶＯＤサーバ装置３００に検索条件にあう映像コンテンツが存在するかを知ることができる。
【００２４】
ＤＬＮＡサーバ装置４００は、受信装置１００からの再生制御メッセージにより、指定された映像コンテンツを映像ストリームとして送出する。ＤＬＮＡサーバ装置４００がもつ映像コンテンツＤＢ４０１中の映像コンテンツは、デジタル放送サービスやＩＰ放送サービスの映像コンテンツを録画したものであり、同コンテンツ中にはＳＩ情報が含まれる。受信装置１００では、ＤＬＮＡサーバ装置４００からの映像ストリームを受信することで、コンテンツ情報を知ることができる。また、ＤＬＮＡサーバ装置４００は、受信装置１００からの検索制御メッセージにより、映像コンテンツＤＢ４０１中の検索条件に一致する映像コンテンツのリストを返信する（非特許文献４参照）。これにより、受信装置１００では、ＤＬＮＡサーバ装置４００に検索条件にあう映像コンテンツが存在するかを知ることができる。
【００２５】
受信装置１００は、ＩＰ送受信部１０１でＩＰ送出サーバ装置２００、ＶＯＤサーバ装置３００、ＤＬＮＡサーバ装置４００からの映像ストリームを受け、ＩＰ送受信部１０１は受信した映像ストリームをデスクランブラ部１０３渡す。
【００２６】
また放送波受信部１０２で送出装置５００からの映像ストリームを受信し、受信した映像ストリームをデスクランブラ部１０３に渡す。
【００２７】
デスクランブラ部１０３は、前記映像ストリームが暗号化されている場合は暗号化を解除し、圧縮されている場合は解凍し、ＧＵＩ部１０５で表示できる映像ストリームにし、ＧＵＩ部１０５に渡す。ＧＵＩ部１０５では前記映像ストリームを再生し、映像コンテンツを画面１１０に表示する。
【００２８】
また、ＩＰ送受信部１０１および放送波受信部１０２では受信した映像ストリームをコンテンツ情報収集部１０６に渡す。
【００２９】
ここで、コンテンツ情報収集部１０６の処理フロー例を図２とともに説明する。尚、以下で説明する図２、図３のフローチャートにおいて、「Ｓ」は各処理のステップを示すものとする。
【００３０】
Ｓ１：ＩＰ送受信部１０１および放送波受信部１０２からの映像ストリームの入力待ち。
【００３１】
Ｓ２：入力された映像ストリームがデジタル放送サービス、ＩＰ放送サービスのものであるかを判定し、そうである場合、Ｓ３へ進み、そうでない場合はＳ５へ進む。
【００３２】
Ｓ３：映像ストリームのＳＩ情報のＥＩＴ（Ｅｖｅｎｔ  Ｉｎｆｏｒｍａｔｉｏｎ  Ｔａｂｌｅ）中から現在視聴中のコンテンツ情報を取得し、コンテンツ情報ＤＢ１０９に上書き登録し、Ｓ４へ進む。
【００３３】
Ｓ４：映像ストリームのＳＩ情報のＥＩＴ中から現放送時間以降８日間分の番組情報を取得し、ＳＩ情報ＤＢ１０８に登録し、Ｓ１へ戻る。
【００３４】
Ｓ５：入力された映像ストリームがＶＯＤサービスであるかを判定し、そうである場合、Ｓ６へ進み、そうでない場合はＳ７へ進む。
【００３５】
Ｓ６：再生制御情報から現在視聴中のコンテンツ情報を取得し、コンテンツ情報ＤＢ１０９に上書き登録し、Ｓ１へ戻る。
【００３６】
Ｓ７：入力された映像ストリームがＤＬＮＡサービスであるかを判定し、そうである場合、Ｓ８へ進み、そうでない場合はＳ１に戻る。
【００３７】
Ｓ８：映像ストリームのＳＩ情報のＥＩＴ中から現在視聴中のコンテンツ情報を取得し、コンテンツ情報ＤＢ１０９に上書き登録し、Ｓ１へ戻る。
【００３８】
ＧＵＩ部１０５ではユーザからの映像コンテンツの再生開始、停止、コンテンツ変更等の指示を受け、再生制御部１０４へ通知する。再生制御部１０４では、受信する映像コンテンツの変更や開始の指示を、ＩＰ送受信部１０１や受信部１０２へ通知する。同指示を受けたＩＰ送受信部１０１では、ＩＰ送出サーバ装置２００からの映像ストリームについてはデスクランブラ部１０３に渡す映像ストリームの変更、ＶＯＤサーバ装置３００またＤＬＮＡサーバ装置４００に対しては制御メッセージにより、ユーザ指示の映像コンテンツへの制御を行う。
【００３９】
また、ＧＵＩ部１０５では映像コンテンツを再生表示している画面１１０と同一画面に、サブウィンドウ１１１を表示する。サブウィンドウ１１１には、再生制御部１０４から通知されるリコメンドコンテンツの情報を通知する。
【００４０】
また、再生制御部１０４では再生開始時に、コンテンツ解析部１０６へ視聴開始メッセージを送信し、また、コンテンツ解析部１０６からのコンテンツ再生開始指示を受け、指定された映像サービスの映像コンテンツを再生する。
【００４１】
ここで、コンテンツ解析部１０７の処理フロー例を図３とともに説明する。
【００４２】
Ｓ１１：再生制御部１０４から新しい映像コンテンツの視聴開始メッセージの通知待ち。
【００４３】
Ｓ１２：コンテンツ情報ＤＢ１０９中の現在視聴中の映像コンテンツのコンテンツ情報を取得し、Ｓ１３へ進む。
【００４４】
Ｓ１３：Ｓ１２で取得したコンテンツ情報をキーワードとしてＳＩ情報ＤＢを検索し、該当する映像コンテンツがある場合は、ＧＵＩ部１０５へ通知し、Ｓ１４へ進む。
【００４５】
Ｓ１４：Ｓ１２で取得したコンテンツ情報をキーワードとし、ＩＰ送受信部１０１にＶＯＤサーバ装置３００への検索を依頼し、検索結果を得る。該当する映像コンテンツがある場合は、同情報をＧＵＩ部１０５へ通知し、Ｓ１５へ進む。
【００４６】
Ｓ１５：Ｓ１２で取得したコンテンツ情報をキーワードとし、ＩＰ送受信部１０１にＤＬＮＡサーバ装置４００への検索を依頼し、検索結果を得る。該当する映像コンテンツがある場合は、同情報をＧＵＩ部１０５へ通知し、Ｓ１６へ進む。
【００４７】
Ｓ１６：ＧＵＩ部１０５からサブウィンドウ１１１に提示したコンテンツ情報に対してユーザからの再生指示を待つ。支持が発生した場合にＳ１７へ進む。
【００４８】
Ｓ１７：ＧＵＩ部１０５から指定の映像サービス、映像コンテンツの再生指示があった場合は、指定の映像コンテンツを再生するよう再生制御部１０４へ通知する。
【００４９】
尚、図１に示す画面１１０は、サブウィンドウ１１１に、現在視聴中の映像コンテンツに関連する映像コンテンツとしてコンテンツＡ〜Ｄの情報が提示されていることを表している。
【００５０】
上記の動作により、ユーザは利用する映像サービスに依存せずに現在視聴中の映像コンテンツに関連する映像コンテンツの提示を受けることができ、また、提示される映像コンテンツも複数の映像サービスからの提示が可能となる。
【実施例１】
【００５１】
本発明をデジタル放送サービス、ＤＬＮＡサービスで利用した実施例の構成を図４に示す。図４において、放送局設備１１０１からデジタル放送波１１０２に映像コンテンツを乗せ放送し、受信機１１０３で同映像コンテンツを受信する。また、受信機１１０３はＩＰネットワーク（ＬＡＮ）１１０４によってＤＬＮＡサーバ１１０５と接続されている。
【００５２】
放送局設備１１０１では映像コンテンツを含んだデジタル放送波１１０２を送る機能を有する。同映像コンテンツには図１の送出装置５００の場合と同様にＳＩ情報を含み、ＳＩ情報のＥＩＴ中に映像コンテンツに関するコンテンツ情報と、８日間分の映像コンテンツの番組表情報を含んでいる。受信機１１０３は、図１の受信装置１００と同一の機能を備えており、前記デジタル放送波１１０２を受信し、再生・表示できる機能を有し、また、映像コンテンツのＳＩ情報を解釈できる機能を有する。また、ＩＰネットワーク１１０４経由でＤＬＮＡサーバ１１０５に接続し、ＤＬＮＡサーバ１１０５が有する録画映像コンテンツを視聴、また、検索できる機能を有する。ＤＬＮＡサーバ１１０５は図１のＤＬＮＡサーバ装置４００と同一の機能を備えている。
【００５３】
以下、本実施例におけるシステムの動作について記述する。
（１）受信機１１０３は、図１の受信装置１００と同様に、デジタル放送波１１０２を受信し、映像コンテンツを視聴する。この際、図２のステップＳ３、Ｓ４の処理フローに沿って、前記映像コンテンツのＳＩ情報のＥＩＴから視聴中のコンテンツ情報と８日間分の番組表情報を取得する。
（２）上記コンテンツ情報のタイトル、番組詳細、出演者、ジャンルをキーワードとして、図１の場合と同様に番組表情報を検索し、映像コンテンツの同一画面のサブウィンドウに検索結果を表示する。
（３）上記コンテンツ情報をキーワードに、図１の場合と同様にＤＬＮＡサーバ１１０５に対して検索し、映像コンテンツの同一画面のサブウィンドウに検索結果を表示する。
（４）サブウィンドウ内に提示した映像コンテンツに再生指示があった場合、再生する。
【実施例２】
【００５４】
本発明をＩＰ放送サービス、ＶＯＤサービスで利用した実施例の構成を図５に示す。図５において、ＩＰ送出サーバ１２０１、ＶＯＤサーバ１２０４、受信機１２０３は各々ＩＰネットワーク１２０２に接続されている。
【００５５】
ＩＰ送出サーバ１２０１は図１のＩＰ送出サーバ装置２００と同一の機能を備えており、映像コンテンツをＩＰネットワーク１２０２に送る機能を有する。同映像コンテンツにはＳＩ情報を含み、ＳＩ情報のＥＩＴ中に映像コンテンツに関するコンテンツ情報と、１週間分の映像コンテンツの番組表情報を含んでいる。受信機１２０３は、図１の受信装置１００と同一の機能を備えており、前記ＩＰ送出サーバ１２０１からの映像ストリームを受信し、再生・表示できる機能を有し、また、映像コンテンツのＳＩ情報を解釈できる機能を有する。また、ＩＰネットワーク１２０２経由でＶＯＤサーバ１２０４に接続し、ＶＯＤサーバ１２０４が有する映像コンテンツを視聴、また、検索できる機能を有する。ＶＯＤサーバ１２０４は図１のＶＯＤサーバ装置３００と同一の機能を備えている。
【００５６】
以下、本実施例におけるシステムの動作について記述する。
（１）受信機１２０３は、図１の受信装置１００と同様にＩＰ送出サーバ１２０１からの映像ストリームを受信し、映像コンテンツを視聴する。この際、図２のステップＳ３，Ｓ４の処理フローに沿って前記映像コンテンツのＳＩ情報のＥＩＴから視聴中のコンテンツ情報と８日間分の番組表情報を取得する。
（２）上記コンテンツ情報のタイトル、番組詳細、出演者、ジャンルをキーワードとして、図１の場合と同様に番組表情報を検索し、映像コンテンツの同一画面のサブウィンドウに検索結果を表示する。
(３)上記コンテンツ情報をキーワードに、図１の場合と同様にＶＯＤサーバ１２０４に対して検索し、映像コンテンツの同一画面のサブウィンドウに検索結果を表示する。
（４）サブウィンドウ内に提示した映像コンテンツに再生指示があった場合、再生する。
【００５７】
また、本実施形態の映像サービスにおけるコンテンツリコメンドシステムの各手段の一部もしくは全部の機能をコンピュータのプログラムで構成し、そのプログラムをコンピュータを用いて実行して本発明を実現することができること、本実施形態の映像サービスにおけるコンテンツリコメンド方法の手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【００５８】
１００…受信装置
１０１…ＩＰ送受信部
１０２…放送波受信部
１０３…デスクランブラ部
１０４…再生制御部
１０５…ＧＵＩ部１０５
１０６…コンテンツ情報収集部
１０７…コンテンツ解析部
１０８…ＳＩ情報ＤＢ
１０９…コンテンツ情報ＤＢ
１１０…表示画面
１１１…サブウィンドウ
２００…ＩＰ送出サーバ装置
２０１，５０１…ＳＩ情報
２０２，３０２，４０１，５０２…映像コンテンツＤＢ
３００…ＶＯＤサーバ装置
３０１…再生制御情報
４００…ＤＬＮＡサーバ装置
５００…送出装置
６００…ＷＡＮ
７００…ＨＧＷ
８００…ＬＡＮ
９００…放送波
１１０１…放送局設備
１１０２…デジタル放送波
１１０３、１２０３…受信機
１１０４、１２０２…ＩＰネットワーク
１１０５…ＤＬＮＡサーバ
１２０４…ＶＯＤサーバ
【図２】
2010278512.tif 000003
【図３】
2010278512.tif 000004
【図４】
2010278512.tif 000005
【図５】
2010278512.tif 000006
【図１】
2010278512.tif 000007